(57)【要約】【課題】本発明は、第１の筐体と第２の筐体との連結部の大型化を防止しつつ、この連結部にケーブル、第１および第２の配管を容易に通すことができる電子機器を得ることにある。【解決手段】電子機器は、第１の筐体（４）と、この第１の筐体に連結された第２の筐体（９）とを備えている。第１の筐体と第２の筐体との連結部は、第１の筐体の内部と第２の筐体の内部との間を連通させる少なくとも三つの通路部（２０ａ〜２０ｄ）を有し、これら通路部のうちの少なくとも一つの通路部に電気信号を取り扱うケーブル（６０）が挿通されているとともに、残りの二つの通路部に夫々受熱部（３３）と放熱部（３５）との間で冷媒を循環させる第１の配管（５７）および第２の配管（５８）が個別に挿通されている。【選択図】　　図３
2004139185.tif 000002
【特許請求の範囲】
【請求項１】
発熱体および第１の回路部品を収容する第１の筐体と、
第２の回路部品を収容するとともに、上記第１の筐体に連結された第２の筐体と、
上記第１の筐体に収容され、上記発熱体に熱的に接続された受熱部と、
上記第２の筐体に収容され、上記発熱体の熱を放出する放熱部と、
上記受熱部と上記放熱部との間で液状の冷媒を循環させ、この冷媒を介して上記発熱体の熱を上記放熱部に移送する第１および第２の配管と、
上記第１の筐体と上記第２の筐体とに跨って配線され、上記第１の回路部品と上記第２の回路部品とを電気的に接続するケーブルと、を具備し、
上記第１の筐体と上記第２の筐体との連結部は、上記第１の筐体の内部と上記第２の筐体の内部との間を連通させる少なくとも三つの通路部を有し、これら通路部のうちの少なくとも一つの通路部に上記ケーブルが挿通されているとともに、残りの二つの通路部に上記第１の配管および第２の配管が個別に挿通されていることを特徴とする電子機器。
【請求項２】
請求項１の記載において、上記第１および第２の配管が通る二つの通路部は、上記第１および第２の筐体の幅方向に離れているとともに、上記ケーブルが通る１つの通路部は、上記二つの通路部の間に位置することを特徴とする電子機器。
【請求項３】
請求項１又は請求項２の記載において、上記第１の筐体は、一対のヒンジを介して上記第２の筐体を回動可能に支持し、上記少なくとも三つの通路部は、上記一対のヒンジの間に位置することを特徴とする電子機器。
【請求項４】
請求項１又は請求項２の記載において、上記第１の筐体と上記第２の筐体との連結部は、上記第１および第２の筐体の幅方向に沿う中央部に位置し、上記放熱部は、上記第１の配管が接続される冷媒導入口と、上記第２の配管が接続される冷媒導出口とを有し、これら冷媒導入口および冷媒導出口は、上記第２の筐体の幅方向に互いに離れていることを特徴とする電子機器。
【請求項５】
請求項１の記載において、上記第２の筐体は、上記第１の筐体に向けて突出する中空の脚部を有し、この脚部は、上記第２の筐体の幅方向に間隔を存して並べられた一対の凹部を有するとともに、上記第１の筐体は、上記凹部に入り込む一対の中空の凸部を有し、上記少なくとも三つの通路部は、上記隣り合う凸部と凹部との間に跨っていることを特徴とする電子機器。
【請求項６】
請求項１の記載において、上記第１の筐体は、上記第２の筐体に向けて突出する中空の支持部を有し、この支持部は、上記第１の筐体の幅方向に間隔を存して並べられた一対の凹部を有するとともに、上記第２の筐体は、上記凹部に入り込む一対の中空の凸部を有し、上記少なくとも三つの通路部は、上記隣り合う凸部と凹部との間に跨っていることを特徴とする電子機器。
【請求項７】
請求項１ないし請求項７のいずれかの記載において、上記受熱部は、この受熱部で加熱された冷媒を上記放熱部に送り出すポンプを有することを特徴とする電子機器。
【請求項８】
発熱体および回路部品を収容する第１の筐体と、
表示装置を収容するとともに、上記第１の筐体に回動可能に連結された脚部を有する第２の筐体と、
上記第１の筐体に収容され、上記発熱体に熱的に接続された受熱部と、
上記第２の筐体に収容され、上記発熱体の熱を放出する放熱部と、
上記受熱部と上記放熱部との間で液状の冷媒を循環させ、この冷媒を介して上記発熱体の熱を上記放熱部に移送する第１および第２の配管と、
上記第１の筐体と上記第２の筐体とに跨って配線され、上記表示装置と上記回路部品とを電気的に接続するケーブルと、を具備し、
上記第１の筐体と上記脚部との連結部は、上記第１の筐体の内部と上記第２の筐体の内部との間を連通させる少なくとも三つの通路部を有し、これら通路部は、上記第１および第２の筐体の幅方向に並んでいるとともに、その中央に位置する一つの通路部に上記ケーブルが挿通され、この一つの通路部を間に挟んで隣り合う二つの通路部に上記第１の配管および上記第２の配管が個別に挿通されていることを特徴とする電子機器。
【請求項９】
請求項８の記載において、上記脚部は、上記第２の筐体の幅方向に間隔を存して並べられた一対の凹部を有するとともに、上記第１の筐体は、上記凹部に入り込む一対の中空の凸部を有し、上記少なくとも三つの通路部は、上記隣り合う凸部と凹部との間に跨っていることを特徴とする電子機器。
【請求項１０】
請求項８又は請求項９の記載において、上記放熱部は、上記第１の配管が接続される冷媒導入口と、上記第２の配管が接続される冷媒導出口とを有し、これら冷媒導入口および冷媒導出口は、上記第２の筐体の幅方向に互いに離れていることを特徴とする電子機器。
【請求項１１】
請求項１又は請求項８の記載において、上記第１および第２の配管は、可撓性を有するゴムチューブにて構成されていることを特徴とする電子機器。
【発明の詳細な説明】
【０００１】
【発明の属する技術分野】
本発明は、例えばＣＰＵのような発熱体を液状の冷媒を用いて冷却する液冷式の電子機器に係り、特に冷媒を循環させる配管と電気信号を取り扱うケーブルの引き回し経路に関する。
【０００２】
【従来の技術】
例えばノート形のポータブルコンピュータに用いられるＣＰＵは、処理速度の高速化や多機能化に伴い動作中の発熱量が増加している。このため、近年、空気よりも遥かに高い比熱を有する液状の冷媒を用いてＣＰＵを冷却する、いわゆる液冷式の冷却システムが開発されている（例えば特許文献１参照）。
【０００３】
特許文献１は、液冷式の冷却システムを搭載したポータブルコンピュータの一例を開示している。この従来の冷却システムは、受熱ヘッダ、放熱ヘッダおよび冷媒を循環させる第１および第２のチューブを備えている。受熱ヘッダは、ポータブルコンピュータの筐体に収容されて、ＣＰＵに熱的に接続されている。放熱ヘッダは、ポータブルコンピュータのディスプレイユニットに組み込まれており、このディスプレイユニットの表示パネルの背後に位置している。第１および第２のチューブは、筐体とディスプレイユニットとに跨って配管され、受熱ヘッダと放熱ヘッダとの間を接続している。
【０００４】
この冷却システムによると、ＣＰＵの熱は、受熱ヘッダでの熱交換により冷媒に伝えられる。この受熱ヘッダで加熱された冷媒は、第１のチューブを通じて放熱ヘッダに移送され、この放熱ヘッダを通過する過程でＣＰＵの熱を放出する。この放熱ヘッダでの熱交換により冷やされた冷媒は、第２のチューブを通じて受熱ヘッダに戻され、再びＣＰＵの熱を受ける。この冷媒の循環により、ＣＰＵの熱を効率良く放熱ヘッダに移送することができ、ＣＰＵの放熱性能が高まる。
【０００５】
【特許文献１】
特開平７−１４２８８６号公報
【０００６】
【発明が解決しようとする課題】
ところで、この種のポータブルコンピュータにおいて、ディスプレイユニットの表示パネルは、ケーブルを介して筐体の内部のプリント配線板に電気的に接続されている。この電気信号を取り扱うケ−ブルおよび上記冷媒を循環させる第１および第２のチューブは、いずれも筐体とディスプレイユニットとの連結部を通してこれら両者間に跨るように引き回されている。
【０００７】
この際、ケーブル、第１および第２のチューブを同一の箇所を通すようにすると、これらケーブルやチューブを通す通路の口径が大きくなるのを避けられず、これが原因で筐体とディスプレイユニットとの連結部が大型化する虞があり得る。それとともに、チューブとケーブルとが通路内で互いに干渉し合うので、これら両者の配管および配線作業に手間を要し、ポータブルコンピュータの組立時の作業性が悪くなる。
【０００８】
さらに、受熱ヘッダで加熱された冷媒を放熱ヘッダに送り込む第１の配管と、放熱ヘッダで冷やされた冷媒を受熱ヘッダに戻す第２の配管とが互いに接触し合うので、この配管の接触部分で熱交換が生じることがあり得る。このため、ＣＰＵの熱を効率良く放熱ヘッダに移送することができなくなり、ＣＰＵの冷却性能を高める上での妨げとなるといった不具合がある。
【０００９】
本発明の目的は、第１の筐体と第２の筐体との連結部にケーブル、第１および第２の配管を容易に通すことができ、しかも、第１の配管と第２の配管との間での熱交換を防止できる電子機器を得ることにある。
【００１０】
【課題を解決するための手段】
上記目的を達成するため、本発明に係る電子機器は、
発熱体および第１の回路部品を収容する第１の筐体と、
第２の回路部品を収容するとともに、上記第１の筐体に連結された第２の筐体と、
上記第１の筐体に収容され、上記発熱体に熱的に接続された受熱部と、
上記第２の筐体に収容され、上記発熱体の熱を放出する放熱部と、
上記受熱部と上記放熱部との間で液状の冷媒を循環させ、この冷媒を介して上記発熱体の熱を上記放熱部に移送する第１および第２の配管と、
上記第１の筐体と上記第２の筐体とに跨って配線され、上記第１の回路部品と上記第２の回路部品とを電気的に接続するケーブルとを具備している。
【００１１】
上記第１の筐体と上記第２の筐体との連結部は、上記第１の筐体の内部と上記第２の筐体の内部との間を連通させる少なくとも三つの通路部を有し、これら通路部のうちの少なくとも一つの通路部に上記ケーブルが挿通されているとともに、残りの二つの通路部に上記第１の配管および第２の配管が個別に挿通されていることを特徴としている。
【００１２】
この構成によれば、ケーブルおよび配管の相互干渉を防止でき、これら両者を第１の筐体と第２の筐体との連結部に容易に通すことができる。
【００１３】
さらに、第１の配管と第２の配管との間での不所望な熱交換を回避することができ、発熱体の熱を効率良く受熱部から放熱部に移送することができる。
【００１４】
【発明の実施の形態】
以下本発明の第１の実施の形態を、図１ないし図７にもとづいて説明する。
【００１５】
図１ないし図３は、電子機器としてのポータブルコンピュータ１を開示している。ポータブルコンピュータ１は、コンピュータ本体２とディスプレイユニット３とで構成されている。コンピュータ本体２は、偏平な箱形の筐体４を備えている。筐体４は、底壁４ａ、上壁４ｂ、前壁４ｃ、左右の側壁４ｄおよび後壁４ｅを有している。上壁４ｂは、キーボード５を支持している。
【００１６】
筐体４の上壁４ｂは、図示しないスピーカを覆う一対のカバー部６ａ，６ｂと、ディスプレイ支持部７とを有している。カバー部６ａ，６ｂは、キーボード５の背後において筐体４の幅方向に互いに離れているとともに、この筐体４の上壁４ｂから上向きに突出している。ディスプレイ支持部７は、カバー部６ａ，６ｂの間に位置している。
【００１７】
ディスプレイユニット３は、第２の筐体としてのディスプレイハウジング８と、表示装置としての液晶表示パネル９とを備えている。ディスプレイハウジング８は、液晶表示パネル９を収容している。このディスプレイハウジング８は、偏平な箱形であり、液晶表示パネル９を背後から覆う後壁８ａを有している。液晶表示パネル９の表示画面９ａは、ディスプレイハウジング８の前面に形成された開口部１０を通じて外方に露出している。
【００１８】
ディスプレイハウジング８は、脚部１１を備えている。脚部１１は、ディスプレイハウジング８の一端部から筐体４のディスプレイ支持部７に向けて突出しており、ディスプレイハウジング８の幅方向に沿う中央部に位置している。この脚部１１は、ディスプレイハウジング８の内部に連なる中空状をなしている。さらに、脚部１１は、筐体４の一方のカバー部６ａと隣り合う第１の端部１２ａと、筐体４の他方のカバー部６ｂと隣り合う第２の端部１２ｂとを有している。
【００１９】
脚部１１は、一対のヒンジ１３ａ，１３ｂを介して筐体４のディスプレイ支持部７に連結されている。一方のヒンジ１３ａは、筐体４のカバー部６ａと脚部１１の第１の端部１２ａとの間に跨っている。他方のヒンジ１３ｂは、筐体４のカバー部６ｂと脚部１１の第２の端部１２ｂとの間に跨っている。そのため、ディスプレイユニット３は、キーボード５を上方から覆うように倒される閉じ位置と、キーボード５や液晶表示パネル９の表示画面９ａを露出させるように起立する開き位置とに亘って回動可能となっている。
【００２０】
筐体４のディスプレイ支持部７およびディスプレイハウジング８の脚部１１は、これら筐体４とディスプレイハウジング８との連結部を構成している。このディスプレイ支持部７に一対の中空の凸部１５ａ，１５ｂが形成されている。凸部１５ａ，１５ｂは、夫々筐体４の内部に連なるとともに、この筐体４の幅方向に互いに離間して配置されている。さらに、凸部１５ａ，１５ｂは、夫々第１の貫通孔１６が開口された二つの側面を有している。
【００２１】
ディスプレイハウジング８の脚部１１に一対の凹部１７ａ，１７ｂが形成されている。凹部１７ａ，１７ｂは、ディスプレイ支持部７の凸部１５ａ，１５ｂに対応するように、脚部１１の第１および第２の端部１２ａ，１２ｂの間に位置しており、これら凹部１７ａ，１７ｂの内側に凸部１５ａ，１５ｂが回動可能に入り込んでいる。
【００２２】
凹部１７ａ，１７ｂは、夫々第２の貫通孔１８が開口された二つの側面を有している。第２の貫通孔１８は、凸部１５ａ，１５ｂの第１の貫通孔１６と向かい合っている。これら第１および第２の貫通孔１６，１８は、互いに協働して上記筐体４とディスプレイハウジング８との連結部に第１ないし第４の通路部２０ａ，２０ｂ，２０ｃ，２０ｄを構成している。通路部２０ａ，２０ｂ，２０ｃ，２０ｄは、夫々隣り合う凸部１５ａ，１５ｂと凹部１７ａ，１７ｂとの間に跨っており、筐体４およびディスプレイハウジング８の幅方向に互いに間隔を存して一列に並んでいる。さらに、通路部２０ａ，２０ｂ，２０ｃ，２０ｄは、上記ヒンジ１３ａ，１３ｂの間に位置している。
【００２３】
このため、筐体４の内部とディスプレイハウジング８の内部とは、上記連結部に位置する四つの通路部２０ａ，２０ｂ，２０ｃ，２０ｄを介して互いに通じ合っている。
【００２４】
図１および図３に示すように、ディスプレイハウジング８は、液晶表示パネル９を駆動する駆動回路２１を収容している。駆動回路２１は、第２の回路部品としての回路板２２を有している。回路板２２は、液晶表示パネル９と脚部１１との間に収められて、この脚部１１の内側に臨んでいる。
【００２５】
筐体４は、第１の回路部品としてのプリント配線板２５、ハードディスク駆動装置２６およびＣＤ−ＲＯＭ駆動装置２７を収容している。プリント配線板２５、ハードディスク駆動装置２６およびＣＤ−ＲＯＭ駆動装置２７は、筐体４の底壁４ａの上に固定されている。
【００２６】
図４に示すように、プリント配線板２５の上面に発熱体としてのＣＰＵ２８が実装されている。ＣＰＵ２８は、例えばＢＧＡ形の半導体パッケージにて構成され、上記筐体４の幅方向の中央部よりも左側に偏っている。ＣＰＵ２８は、四角いベース基板２９と、このベース基板２９の中央部に配置されたＩＣチップ３０とを有している。ＩＣチップ３０は、処理速度の高速化や多機能化に伴って動作中の発熱量が非常に大きく、安定した動作を維持するために冷却を必要としている。
【００２７】
ポータブルコンピュータ１は、ＣＰＵ２８を冷却する液冷式の冷却ユニット３２を搭載している。冷却ユニット３２は、受熱部３３と一体化された回転形ポンプ３４、放熱部３５および循環経路３６を備えている。
【００２８】
図４に示すように、受熱部３３は、ＣＰＵ２８のベース基板２９よりも大きな金属板にて構成され、発熱するＩＣチップ３０を上方から覆っている。ＩＣチップ３０は、図示しない熱伝導性グリースを介して受熱部３３の下面中央部に熱的に接続されている。
【００２９】
ポンプ３４は、羽根車３７とポンプハウジング３８とを備えている。羽根車３７は、フラットモータ３９を介してポンプハウジング３８に支持されている。フラットモータ３９は、例えばポータブルコンピュータ１の電源投入時あるいはＣＰＵ２８の温度が予め決められた値に達した時に、羽根車３７を回転させる。
【００３０】
ポンプハウジング３８は、偏平な箱形であり、例えばアルミニウム合金のような熱伝導性を有する金属材料にて構成されている。ポンプハウジング３８は、受熱部３３の上面に重ね合わされて、受熱部３３に熱的に接続されている。このポンプハウジング３８は、羽根車３７を収容するポンプ室４０と、ポンプ室４０に連なる冷媒入口４１および冷媒出口４２とを有している。冷媒入口４１および冷媒出口４２は、ポンプハウジング３８の周面から筐体４と脚部１１との連結部を指向するように、ポンプ３４の斜め後方に向けて突出している。
【００３１】
ポンプ３４は、プリント配線板２５の上面に支持部材４３を介して固定されている。支持部材４３は、弾性変形が可能な板ばねであり、その一端４４ａおよび他端４４ｂが夫々プリント配線板２５に固定した一対のスタッドピン４５にねじ４６を介して固定されている。この固定により、支持部材４３の押圧突起４７がポンプハウジング３８の上面中央部に突き当たり、このポンプハウジング３８と一体化された受熱部３３をＣＰＵ２８に押し付けている。
【００３２】
図６に示すように、冷却ユニット３２の放熱部３５は、ディスプレイハウジング８に収容されている。放熱部３５は、液晶表示パネル９と略同等の大きさを有する長方形の板状であり、ディスプレイハウジング８の後壁８ａと液晶表示パネル９の背面との間に介在されている。
【００３３】
図７に示すように、放熱部３５は、第１の放熱板５０と第２の放熱板５１とを備えている。第１および第２の放熱板５０，５１は、夫々熱伝導性に優れた金属材料にて構成されているとともに、互いに重ね合わされている。第１の放熱板５０は、凹部５２を有している。凹部５２は、第２の放熱板５１の反対側に向けて凹んでいるとともに、第１の放熱板５０の略全面に亘って蛇行状に形成されている。この凹部５２の開口端は、第２の放熱板５１によって閉じられている。そのため、第１の放熱板５０の凹部５２は、第２の放熱板５１との間に冷媒流路５３を構成している。
【００３４】
放熱部３５は、冷媒導入口５４と冷媒導出口５５とを有している。冷媒導入口５４および冷媒導出口５５は、ディスプレイハウジング８の脚部１１と向かい合うとともに、このディスプレイハウジング８の幅方向に互いに振り分けて配置されている。具体的に述べると、冷媒導入口５４は、放熱部３５の左端部に形成されて冷媒流路５３の上流端に位置している。これに対し、冷媒導出口５５は、放熱部３５の右端部に形成されて冷媒流路５３の下流端に位置している。
【００３５】
図３に示すように、冷却ユニット３２の循環経路３６は、第１の配管５７と第２の配管５８とを備えている。第１の配管５７は、ポンプ３４の冷媒出口４２と放熱部３５の冷媒導入口５４との間を接続している。この第１の配管５７は、冷媒出口４２の突出方向に沿うように筐体４の後端に引き出された後、ディスプレイ支持部７の左側の凸部１５ａの内側に導かれている。さらに、第１の配管５７は、最も左端の第１の通路部２０ａを通して脚部１１の第１の端部１２ａの内側に導かれ、ここから冷媒導入口５４に向けて延びている。
【００３６】
第２の配管５８は、ポンプ３４の冷媒入口４１と放熱部３５の冷媒導出口５５との間を接続している。この第２の配管５８は、冷媒入口４１の突出方向に沿うように筐体４の後端に引き出された後、ディスプレイ支持部７の右側の凸部１５ｂの内側に導かれている。さらに、第２の配管５８は、最も右側の第４の通路部２０ｄを通して脚部１１の第２の端部１２ｂの内側に導かれ、ここから冷媒導出口５５に向けて延びている。
【００３７】
したがって、第１の配管５７と第２の配管５８とは、筐体４の幅方向に互いに離間した状態で筐体４と脚部１１との連結部を通過している。
【００３８】
さらに、第１および第２の配管５７，５８は、夫々可撓性を有するゴム又は樹脂製のチューブにて構成されている。これにより、ディスプレイユニット３の回動に伴って放熱部３５とポンプ３４との位置関係が変動した場合でも、第１および第２の配管５７，５８が自由に変形して循環経路３６のねじれを吸収するようになっている。
【００３９】
ポンプ３４のポンプ室４０、放熱部３５の冷媒流路５３および循環経路３６には、液状の冷媒としての冷却液が充填されている。この冷却液としては、例えば水にエチレングリコール溶液および必要に応じて腐蝕防止剤を添加した不凍液が用いられている。
【００４０】
図２および図６に示すように、第１の配管５７と放熱部３５の冷媒導入口５４との接続部分および第２の配管５８と放熱部３５の冷媒導出口５５は、ディスプレイハウジング８の後壁８ａの内面に対し、僅かな隙間を存して向かい合っている。この放熱部３５と第１および第２の配管５７，５８との接続部分は、夫々スポンジるいはゴム板のような弾性変形が可能な緩衝材５９によって覆われている。この緩衝材５９は、上記接続部分とディスプレイハウジング８の後壁８ａの内面との間に介在されている。
【００４１】
そのため、ディスプレイハウジング８の後壁８ａのうち、上記接続部分に対応する箇所に外側から押圧力が加わった場合、この押圧力を緩衝材５９が変形することにより吸収する。この結果、放熱部３５と第１および第２の配管５７，５８との接続部分に無理な力が加わらずに済み、この接続部分からの冷却液の漏れを防止できる。
【００４２】
図３に示すように、液晶表示パネル９の駆動回路２１は、ケーブル６０を介してプリント配線板２５の上のコネクタ６１に電気的に接続されている。このケーブル６０は、筐体４と脚部１１との連結部を通って筐体４とディスプレイハウジング８との間に跨っている。
【００４３】
具体的に述べると、ケーブル６０は、プリント配線板２５の上を通って筐体４の後端に引き出された後、ディスプレイ支持部７の左側の凸部１５ａの内側に導かれている。さらに、ケーブル６０は、中央の第３の通路部２０ｃを通して脚部１１の内側に導かれ、ここから駆動回路２１の回路板２２に向けて延びている。
【００４４】
このため、電気的な信号を取り扱うケーブル６０は、冷却液が流れる第１および第２の配管５７，５８とは独立した別の経路を通って筐体４と脚部１１との連結部を通過している。
【００４５】
このような構成において、ＣＰＵ２８のＩＣチップ３０は、ポータブルコンピュータ１の使用中に発熱する。このＩＣチップ３０の熱は、受熱部３３を介してポンプハウジング３８に伝わる。ポンプハウジング３８は、冷却液が充填されたポンプ室４０を有するので、ポンプハウジング３８に伝わった熱の多くを冷却液が吸収する。
【００４６】
ポンプ３４の羽根車３７が回転すると、ポンプ室４０内の冷却液が第１の配管５７を通じて放熱部３５に送り出され、このポンプ室４０と放熱部３５の冷媒流路５３との間で冷却液が強制的に循環される。
【００４７】
すなわち、ポンプ室４０での熱交換により加熱された冷却液は、第１の配管５７を介して放熱部３５に送り出され、蛇行状に屈曲された冷媒流路５３を流れる。この流れの過程で冷却液に吸収されたＩＣチップ３０の熱が第１および第２の放熱板５０，５１に拡散され、これら放熱板５０，５１の表面から放出される。
【００４８】
冷媒流路５３を通過する過程で冷やされた冷却液は、第２の配管５８を通じてポンプ３４のポンプ室４０に戻される。この冷却液は、ポンプ室４０を流れる過程で再びＩＣチップ３０の熱を吸収した後、放熱部３５に送り出される。このようなサイクルを繰り返すことで、ＩＣチップ３０の熱がディスプレイハウジング８内の放熱部３５に移されるとともに、この放熱部３５を通じてポータブルコンピュータ１の外部に放出される。
【００４９】
このような構成のポータブルコンピュータ１によれば、冷却液が流れる第１および第２の配管５７，５８は、筐体４の幅方向に離間した第１および第４の通路部２０ａ，２０ｄを通過して筐体４とディスプレイハウジング８との間に跨っている。これに対し、電気的な信号を取り扱うケーブル６０は、第１の通路部２０ａと第４の通路部２０ｄの間に位置する第２の通路部２０ｂを通して筐体４とディスプレイハウジング８との間に跨っている。
【００５０】
このため、第１および第２の配管５７，５８とケーブル６０は、互いに独立した状態で筐体４とディスプレイハウジング８の脚部１１との連結部を通過する。この結果、通路部２０ａ，２０ｂ，２０ｃ，２０ｄの口径を小さく抑えて、上記連結部の大型化を防止することができる。
【００５１】
しかも、ケーブル６０、第１の配管５７および第２の配管５８が通る通路部２０ａ，２０ｂ，２０ｄが互いに分離されているので、これら配管５７，５８およびケーブル６０が筐体４とディスプレイハウジング８の脚部１１との連結部で干渉し合うこともない。そのため、ケーブル６０の配線作業や第１および第２の配管５７，５８の配管作業を容易に行なうことができ、ポータブルコンピュータ１の組立時の作業性が良好となる。
【００５２】
加えて、受熱部３３で加熱された冷却液を放熱部３５に送り込む第１の配管５７と、放熱部３５で冷やされた冷却液を受熱部３３に戻す第２の配管５８とが互いに接触し合うこともなく、第１の配管５７と第２の配管５８との間での冷却液の不所望な熱交換を回避できる。よって、ＣＰＵ２８の熱を効率良く放熱部３５に移送することができ、ＣＰＵ２８の冷却性能を高める上でも好都合となるといった利点がある。
【００５３】
なお、上記第１の実施形態では、筐体４とディスプレイハウジング８との連結部に第１ないし第４の通路部２０ａ〜２０ｄが形成されているので、第３の通路部２０ｃは空のままとなっている。そのため、図３に二点鎖線で示すように、ケーブル６０を第２の通路部２０ｂではなくて第３の通路部２０ｃを通しても良い。さらに、例えばディスプレイハウジング８に無線通信用のアンテナが組み込まれている場合には、このアンテナに接続されたアンテナケーブルを第３の通路部２０ｃを通して配線するようにしても良い。
【００５４】
本発明は上記第１の実施の形態に特定されるものではない。図８は、本発明の第２の実施の形態を開示している。
【００５５】
この第２の実施の形態は、筐体４とディスプレイハウジング８との連結部の構成が上記第１の実施の形態と相違しており、それ以外のポータブルコンピュータ１の基本的な構成は、上記第１の実施の形態と同様である。このため、第２の実施の形態において、第１の実施の形態と同一の構成部分には、同一の参照符号を付して、その説明を省略する。
【００５６】
図８に示すように、筐体４は、その上壁４ｂの後端にディスプレイ支持部７０を有している。ディスプレイ支持部７０は、筐体４の幅方向に延びているとともに、上壁４ｂから上向きに突出している。このディスプレイ支持部７０は、中空状をなして筐体４の内部に連なっている。
【００５７】
さらに、ディスプレイ支持部７０は、第１および第２の端部７１ａ，７１ｂと一対の凹部７２ａ，７２ｂとを有している。第１および第２の端部７１ａ，７１ｂは、筐体４の幅方向に互いに離間している。凹部７２ａ，７２ｂは、第１の端部７１ａと第２の端部７１ｂとの間に位置するとともに、筐体４の幅方向に互いに離間して配置されている。これら凹部７２ａ，７２ｂは、夫々第１の貫通孔７３が開口された二つの側面を有している。
【００５８】
ディスプレイハウジング８は、筐体４の後端部に隣接する一端部を有し、この一端部に受け部７４が形成されている。受け部７４は、ディスプレイハウジング８の幅方向に延びており、この受け部７４に筐体４のディスプレイ支持部７０が回動可能に入り込んでいる。
【００５９】
ディスプレイハウジング８は、一対のヒンジ７５ａ，７５ｂを介してディスプレイ支持部７０に回動可能に連結されている。一方のヒンジ７５ａは、ディスプレイ支持部７０の第１の端部７１ａとディスプレイハウジング８との間に跨っている。他方のヒンジ７５ｂは、ディスプレイ支持部７０の第２の端部７１ｂとディスプレイハウジング８との間に跨っている。
【００６０】
ディスプレイハウジング８の受け部７３に一対の中空の凸部７６ａ，７６ｂが形成されている。凸部７６ａ，７６ｂは、ディスプレイハウジング８の内部に連なっているとともに、ディスプレイ支持部７０の凹部７２ａ，７２ｂに回動可能に入り込んでいる。
【００６１】
凸部７６ａ，７６ｂは、夫々第２の貫通孔７７が開口された二つの側面を有している。第２の貫通孔７７は、凹部７２ａ，７２ｂの第１の貫通孔７３と向かい合っている。これら第１および第２の貫通孔７３，７７は、互いに協働して筐体４とディスプレイハウジング８との連結部に第１ないし第４の通路部７８ａ，７８ｂ，７８ｃ，７８ｄを構成している。通路部７８ａ，７８ｂ，７８ｃ，７８ｄは、筐体４およびディスプレイハウジング８の幅方向に互いに間隔を存して一列に並んでおり、これら通路部７８ａ，７８ｂ，７８ｃ，７８ｄを介して筐体４の内部とディスプレイハウジング８の内部との間が互いに通じ合っている。
【００６２】
図８に示すように、受熱部３３で加熱された冷却液を放熱部３５に送り出す第１の配管５７は、筐体４の後端に引き出された後、ディスプレイ支持部７０の第１の端部７１ａの内側に導かれている。さらに、第１の配管５７は、最も左端の第１の通路部７８ａを通して凸部７６ａの内側に導かれ、ここから冷媒導入口５４に向けて延びている。
【００６３】
これに対し、放熱部３５で冷やされた冷却液を受熱部３３に戻す第２の配管５８は、筐体４の後端に引き出された後、ディスプレイ支持部７０の第２の端部７１ｂの内側に導かれている。さらに、第２の配管５８は、最も右端の第４の通路部７８ｄを通して凸部７６ｂの内側に導かれ、ここから冷媒導出口５５に向けて延びている。したがって、第１の配管５７と第２の配管５８とは、筐体４の幅方向に互いに離間した状態で筐体４とディスプレイハウジング８との連結部を通過している。
【００６４】
さらに、電気信号を取り扱うケーブル６０は、プリント配線板２５の上を通って筐体４の後端に引き出された後、ディスプレイ支持部７０の中央部の内側に導かれている。さらに、ケーブル６０は、第３の通路部７８ｃを通して凸部７６ｂの内側に導かれ、ここから駆動回路２１の回路板２２に向けて延びている。
【００６５】
このため、電気的な信号を取り扱うケーブル６０は、冷却液が流れる第１および第２の配管５７，５８とは独立した別の経路を通って筐体４とディスプレイハウジング８との連結部を通過している。
【００６６】
このような構成によれば、第１および第２の配管５７，５８とケーブル６０は、互いに独立した状態で筐体４とディスプレイハウジング８との連結部を通過しており、それ故、上記第１の実施の形態と同様の効果を得ることができる。
【００６７】
なお、本発明に係る電子機器は、ポータブルコンピュータに限らず、その他の情報処理装置においても実施可能である。
【００６８】
【発明の効果】
以上詳述した本発明によれば、ケーブルの配線作業や第１および第２の配管の配管作業を容易に行なうことができる。さらに、第１の配管と第２の配管との間での冷媒の不所望な熱交換を防止でき、発熱体の熱を効率良く放熱部に移送することができる。
【図面の簡単な説明】
【図１】本発明の第１の実施の形態に係るポータブルコンピュータの斜視図。
【図２】放熱部とディスプレイハウジングとの位置関係を示す本発明の第１の実施の形態に係るポータブルコンピュータの斜視図。
【図３】本発明の第１の実施の形態において、ポンプと放熱部とを接続する第１および第２の配管およびプリント配線板と液晶表示パネルの駆動回路とを電気的に接続するケーブルの引き回し経路を概略的に示すポータブルコンピュータの断面図。
【図４】本発明の第１の実施の形態において、受熱部を有するポンプを支持部材を介してプリント配線板の上に固定した状態を示す断面図。
【図５】本発明の第１の実施の形態に係るポンプの平面図。
【図６】本発明の第１の実施の形態において、放熱部と第１および第２の配管との接続部を緩衝材で覆った状態を示すポータブルコンピュータの断面図。
【図７】本発明の第１の実施の形態に係る放熱部の断面図。
【図８】本発明の第２の実施の形態において、ポンプと放熱部とを接続する第１および第２の配管およびプリント配線板と液晶表示パネルの駆動回路とを電気的に接続するケーブルの引き回し経路を概略的に示すポータブルコンピュータの断面図。
【符号の説明】
４…第１の筐体（筐体）
８…第２の筐体（ディスプレイハウジング）
９…表示装置（液晶表示パネル）
１１…脚部
２０ａ，２０ｂ，２０ｃ，２０ｄ，７８ａ，７８ｂ，７８ｃ，７８ｄ…第１ないし第４の通路部
２５…回路部品（プリント配線板）
２８…発熱体（ＣＰＵ）
３３…受熱部
３５…放熱部
５７…第１の配管
５８…第２の配管
６０…ケーブル
【図１】
2004139185.tif 000003
【図２】
2004139185.tif 000004
【図３】
2004139185.tif 000005
【図４】
2004139185.tif 000006
【図５】
2004139185.tif 000007
【図６】
2004139185.tif 000008
【図７】
2004139185.tif 000009
【図８】
2004139185.tif 000010